(57)【要約】【課題】ワイヤハーネスを３次元的な分岐形状に容易かつ安価に組み立てることができる、新規な構造のワイヤハーネス用組立図板装置を提供すること。【解決手段】組立図板１２上に突設される複数の布線治具１６の支持脚部２０の長さ寸法がいずれも同一とされている一方、組立図板１２が、主基準面３８を構成する主領域板２４と、主基準面３８よりも所定寸法高くされた副基準面４０を構成する少なくとも１つの副領域板２６を含んでおり、主領域板２４と副領域板２６のいずれにも少なくとも１つの布線治具１６を突設した。【選択図】図１
2013143310.tif 000002
【特許請求の範囲】
【請求項１】
組立図板の適所に突設されて布線される電線を保持するための複数の布線治具を含んで構成されたワイヤハーネス組立図板装置において、
前記複数の布線治具が、前記組立図板上に突設される支持脚部と該支持脚部の突出先端部に設けられた電線保持部をそれぞれ備えていると共に、前記支持脚部の長さ寸法がいずれも同一とされている一方、
前記組立図板が、主基準面を構成する主領域板と、該主基準面よりも所定寸法高くされた副基準面を構成する少なくとも１つの副領域板を含んでおり、
前記主領域板と前記副領域板のいずれにも少なくとも１つの前記布線治具が突設されている
ことを特徴とするワイヤハーネス組立図板装置。
【請求項２】
前記副領域板が複数設けられており、該複数の副領域板が構成するそれぞれの前記副基準面の高さが相互に異ならされている請求項１に記載のワイヤハーネス組立図板装置。
【請求項３】
前記主領域板が単一平板から構成されている一方、前記副領域板が前記主領域板とは別の平板から切り出されて底面に脚部が取り付けられた構成とされており、前記副領域板が前記主領域板の所定位置に前記脚部を介して載置されている請求項１又は２に記載のワイヤハーネス組立図板装置。
【請求項４】
前記組立図板が、単一平板を前記主領域板と前記副領域板に分断すると共に、前記副領域板の底面に脚部を取り付けて、前記主領域板と前記副領域板を同一平面上に整列配置することにより構成されている請求項１又は２に記載のワイヤハーネス組立図板装置。
【発明の詳細な説明】
【技術分野】
【０００１】
本発明は、自動車に搭載されるワイヤハーネスを組み立てる際に用いられる、ワイヤハーネス組立図板装置に関するものである。
【背景技術】
【０００２】
従来から、自動車のワイヤハーネスを組み立てる際には、電線を布線するための布線回路図が載置された単一平板からなる組立図板と、かかる組立図板の適所に突設されて布線される電線を保持するための布線治具を含んで構成されたワイヤハーネス組立図板装置が用いられている。そして、組立作業員は、組立図板上の布線回路図に沿って電線を布線治具間に架け渡して二次元的に布線した後、布線された電線束をビニールテープを巻回して結束したり、電線にコネクタ等の電気部品を結合することによってワイヤハーネスを組み立てている。
【０００３】
ところで、近年、自動車に搭載される電装品の増加に伴い、ワイヤハーネスの回路形状は複雑化しており、単なる二次元的な分岐形状のみでは対応できず、高さ方向への分岐も含んだ三次元的な分岐形状にワイヤハーネスを組み立てなければならない場合も増加している。
【０００４】
このような三次元的な分岐形状への電線の布線を効率よく行うために、特殊な構造を備えた三次元布線用の布線治具が種々提案されている。例えば、特開平７−１０５７５８号公報（特許文献１）には、組立図板から上方に突出して延びる支持脚部と、この支持脚部の突出先端部に設けられて上方に開口する略Ｕ字形状の電線保持部から構成された布線治具であって、支持脚部を伸縮自在として、電線保持部の高さ位置を調節可能とした構造の布線治具が提案されている。これによれば、特許文献１の図６に示すように、三次元的に分岐させたい箇所の電線が架け渡される二つの布線治具のうち、一方の布線治具の支持脚部を他方の布線治具の支持脚部よりも伸長させて、それら布線治具の電線保持具の高さ位置を相互に異ならせることによって、電線を上方に屈曲するように分岐して布線することが容易となる。
【０００５】
ところが、特許文献１に記載の三次元布線用の布線治具においては、支持脚部を伸長自在とするために、コイルばねやコイルばねを収容する空間等の特殊構造を採用する必要がある。それ故、布線治具自体が高価となって、三次元分岐形状のワイヤハーネスを安価に製造することの妨げとなっていた。これに対して、単に支持脚部の長さを変えた複数種類の分岐治具を用意して、多仕様の三次元分岐形状のワイヤハーネスに対応することも考えられる。しかしながら、三次元分岐部分に要求される高さ寸法は、仕様によりまちまちであり、それぞれの仕様に合わせた高さの異なる複数種類の分岐治具を準備することは、結局コスト高となる。また、仕様に合わせて複数種類の分岐治具を準備する方法では、管理工数も複雑化して、好ましくなかった。
【先行技術文献】
【特許文献】
【０００６】
【特許文献１】特開平７−１０５７５８号公報
【発明の概要】
【発明が解決しようとする課題】
【０００７】
本発明は、上述の事情を背景に為されたものであって、その解決課題は、ワイヤハーネスを三次元的な分岐形状に容易かつ安価に組み立てることができる、新規な構造のワイヤハーネス用組立図板装置を提供することにある。
【課題を解決するための手段】
【０００８】
本発明の第一の態様は、組立図板の適所に突設されて布線される電線を保持するための複数の布線治具を含んで構成されたワイヤハーネス組立図板装置において、前記複数の布線治具が、前記組立図板上に突設される支持脚部と該支持脚部の突出先端部に設けられた電線保持部をそれぞれ備えていると共に、前記支持脚部の長さ寸法がいずれも同一とされている一方、前記組立図板が、主基準面を構成する主領域板と、該主基準面よりも所定寸法高くされた副基準面を構成する少なくとも１つの副領域板を含んでおり、前記主領域板と前記副領域板のいずれにも少なくとも１つの前記布線治具が突設されている、ことを特徴とする。
【０００９】
本態様のワイヤハーネス組立図板装置によれば、組立図板が高さの異なる基準面を呈する主領域板および副領域板を含んで構成されていることから、支持脚部の長さ寸法が同一とされた、汎用品の布線治具を採用しても、主領域板に突設する布線治具と副領域板に突設する布線治具の高さ位置を異ならせることできる。それ故、汎用の布線治具を用いて低コスト化を図りつつ、主領域板と副領域板にそれぞれ突出する布線治具間を跨いで電線を布線するのみで、ワイヤハーネスを三次元的な分岐形状に組み立てることが可能となる。従って、従来よりも安価且つ容易に三次元分岐形状を有するワイヤハーネスの製造が可能となるのである。
【００１０】
ここで、副領域板の副基準面の高さは、副領域板を構成する平板の板厚寸法を大きくしたり、副領域板を構成する平板の底面に所定寸法に切断された金属パイプ等の脚部を取り付けること等、任意の方法によって、主領域板の主基準面により所定寸法高くすることができる。また、複数の副領域板を設ける場合には、各副領域板により構成される副基準面の高さを相互に同一にしてもよいし、相互に異ならせてもよい。
【００１１】
本発明の第二の態様は、第一の態様に記載のものにおいて、前記副領域板が複数設けられており、該複数の副領域板が構成するそれぞれの前記副基準面の高さが相互に異ならされているものである。本態用によれば、さらに複雑に分岐する三次元分岐形状を備えたワイヤハーネスを容易且つ安価に組み立てることができる。
【００１２】
本発明の第三の態様は、第一又は第二の態様に記載のものにおいて、前記主領域板が単一平板から構成されている一方、前記副領域板が前記主領域板とは別の平板から切り出されて底面に脚部が取り付けられた構成とされており、前記副領域板が前記主領域板の所定位置に前記脚部を介して載置されているものである。
【００１３】
本態様によれば、布線回路図から三次元分岐形状が要求されている領域を抽出し、抽出された領域を別の平板から切り出して、切り出した平板の底面に対して脚部を取り付けることにより、副領域板を容易に構成することができる。しかも、副領域板を脚部を介して主領域板に載置させることができるので、脚部の寸法を任意に設定するのみで、主基準面と副基準面の高低差のバリエーションに容易に対応することができる。なお、脚部は、アルミパイプ材等の容易に入手可能な材料で安価に形成することができる。また、副領域板が複数設けられる場合には、一つの副領域板が他の副領域板を介して主領域板に間接的に載置される場合も、本態様に含まれる。
【００１４】
本発明の第四の態様は、第一又は第二の態様に記載のものにおいて、前記組立図板が、単一平板を前記主領域板と前記副領域板に分断すると共に、前記副領域板の底面に脚部を取り付けて、前記主領域板と前記副領域板を同一平面上に整列配置することにより構成されているものである。
【００１５】
本態様によれば、単一平板を分割することで、主領域板および副領域板を構成することができることから、組立図板の材料やコストの削減を図ることができる。しかも、単に副領域板を構成する分割平板に、任意の脚部を取り付けるのみで、副基準面を主基準面よりも所定寸法高くすることができ、仕様違いによる主および副基準面間の高さ違いに柔軟に対応することが可能となる。
【発明の効果】
【００１６】
本発明においては、組立図板が高さの異なる基準面を呈する主領域板および副領域板を含んで構成されていることから、支持脚部の長さが同一とされた汎用の布線治具を採用しても、主領域板に突設する布線治具と副領域板に突設する布線治具の高さ位置を異ならせることできる。それ故、汎用の布線治具を用いて低コスト化を図りつつ、主領域板と副領域板にそれぞれ突出する布線治具間を跨いで電線を布線するのみで、ワイヤハーネスを三次元的な分岐形状に容易に組み立てることができる。
【図面の簡単な説明】
【００１７】
【図１】本発明の一実施形態としてのワイヤハーネス組立図板装置の斜視図。
【図２】図１のＩＩ−ＩＩ断面図。
【図３】本発明の組立図板の変形例を示す斜視図。
【発明を実施するための形態】
【００１８】
以下、本発明の実施形態について、図面を参照しつつ説明する。
【００１９】
先ず、図１および図２に、本発明の一実施形態としてのワイヤハーネス組立図板装置１０を示す。ワイヤハーネス組立図板装置１０は、図示しない布線回路図が載置される組立図板１２と、組立図板１２の適所に突設されて、組立図板１２上に布線される多数の電線からなる電線束１４を保持する複数の布線治具１６を含んで構成されており、作業台１８に載置されてワイヤハーネスの組み立て作業に使用される。なお、以下の説明において、上下方向とは、図２における上下方向を言い、幅方向とは、図２における左右方向を言うものとする。また、図２の断面図は、図１のＩＩ−ＩＩ断面に相当する図であるが、理解を容易とするために、布線治具１６の数を減らした状態でモデル的に示している。
【００２０】
より詳しくは、布線治具１６は、金属等の任意の硬質材料から形成されており、組立図板１２上に略垂直に突出するように固定される支持脚部２０と、支持脚部２０の突出先端部に設けられて上方に開口する略Ｕ字形状の電線保持部２２が、一体形成された構造とされている。組立図板１２に突設された複数の布線治具１６は、支持脚部２０の長さ寸法：Ｌ１（図２参照）がいずれも同一とされた、同一形状の汎用品が採用されている。なお、図示は省略するが、汎用の布線治具１６として、支持脚部２０の長さ寸法：Ｌ１は同一で、電線保持部２２の形状がＵ字以外の三叉或いは四叉に分岐した形状のものも汎用されており、それらが本実施形態の布線治具１６に含まれることは勿論である。
【００２１】
一方、組立図板１２は、コンクリートパネル等の切断加工が容易な任意の平板から形成されている。本実施形態においては、主領域板２４と、主領域板２４の上面に載置された第一副領域板２６、および第一副領域板２６の上面に載置された第二副領域板２８が組み合わされて、１つの組立図板１２が構成されている。要するに、組立図板１２は、複数の副領域板２６，２８を備えている。
【００２２】
作業台１８に直接載置される主領域板２４は、単一平板から構成されており、組立図板１２に載置される布線回路図の全領域が載置可能な大きさを有している。一方、第一副領域板２６は、主領域板２４とは別の平板を切り出して形成されており、布線回路図に示された三次元的な分岐が必要な箇所をすべて含んた領域が載置可能な大きさとされている。さらに、第二副領域板２８も同様に、主領域板２４とは別の平板を切り出して形成されており、第一副領域板２６に載置される布線回路図において、第一副領域板２６よりも更に上方への分岐が必要な箇所を含んだ領域が載置可能な大きさとされている。なお、主領域板２４，第一副領域板２６，第二副領域板２８は、何れも板厚寸法：ｔ１を有している（図２参照）。
【００２３】
第一副領域板２６および第二副領域板２８は、底面（図２中下側）における外周縁部等の任意の箇所に、複数の脚部３０ａ，３０ｂがそれぞれ取り付けられており、第一副領域板２６が脚部３０ａを介して主領域板２４の所定位置に載置されると共に、第二副領域板２８が、脚部３０ｂを介して第一副領域板２６の所定位置に載置される。各脚部３０ａ，３０ｂは、任意の材料で形成可能であるが、本実施形態では、内周面にねじ溝が形成されたアルミニウム等の金属パイプを所定長さに切断することで容易に形成されている。そして、第一副領域板２６および第二副領域板２８の外周縁部の任意の箇所に形成した貫通孔（図示せず）に対して、第一副領域板２６および第二副領域板２８の底面側から脚部３０ａ，３０ｂを重ね合わせる一方、上面側から貫通孔を挿通してボルト３２を脚部３０ａ，３０ｂに螺合すること等によって容易に固定することができる。なお、第一副領域板２６および第二副領域板２８の底面に対する脚部３０a ，３０ｂの取り付け方法は任意であり、接着や嵌合等、従来から公知の任意の方法が採用可能である。
【００２４】
ここで、脚部３０a と脚部３０ｂの長さ寸法は、布線回路図に示された三次元分岐形状に基づき決定される。すなわち、図１に示すように、主領域板２４と第一副領域板２６にそれぞれ突設された布線治具１６，１６の間に跨って布線される電線束１４は、第一の三次元分岐点３４を構成している。第一の三次元分岐点３４では、電線束１４が、主領域板２４に突設された二つの布線治具１６，１６間に架け渡される水平分岐部３４ａと、主領域板２４と第一副領域板２６にそれぞれ突設された布線治具１６，１６の間に掛け渡される垂直分岐部３４ｂに分岐されている（図１参照）。一方、第一副領域板２６と第二副領域板２８にそれぞれ突設された布線治具１６，１６の間に跨って布線される電線束１４は、第二の三次元分岐点３６を構成している。第二の三次元分岐点３６では、電線束１４が、第一副領域板２６に突設された二つの布線治具１６，１６間に架け渡される水平分岐部３６ａと、第一副領域板２６と第二副領域板２８にそれぞれ突設された布線治具１６，１６の間に掛け渡される垂直分岐部３６ｂに分岐されている（図１参照）。
【００２５】
図２に概略的に示すように、第一の三次元分岐点３４および第二の三次元分岐点３６の各垂直分岐部３４ｂ，３６ｂの延出端部（上方の布線治具１６に保持される部分）は、それぞれ布線回路図に示された所定寸法：ｈ１，ｈ２だけ、各水平分岐部３４ａ，３６ａ（下方の布線治具１６に保持される部分）よりも上方に位置するように布線する必要がある。換言すれば、主領域板２４に突設する布線治具１６の電線保持部２２の底面よりも、第一副領域板２６に突設する布線治具１６の電線保持部２２の底面が、ｈ１だけ高くされ、第一副領域板２６に突設する布線治具１６の電線保持部２２の底面よりも、第二副領域板２８に突設する布線治具１６の電線保持部２２の底面が、ｈ２だけ高くされる必要がある。
【００２６】
上述のとおり、主領域板２４，第一副領域板２６，第二副領域板２８にそれぞれ突設された布線治具１６の支持脚部２０の長さ寸法：Ｌ１はいずれも同一であり、主領域板２４，第一副領域板２６，第二副領域板２８はいずれも同一の板厚寸法：ｔ１を有している。従って、主領域板２４の表面によって構成される主基準面３８に対して、第一副領域板２６の表面によって構成される第一副基準面４０が所定寸法：：ｈ１だけ上方に位置するように、脚部３０ａの長さ寸法：Ｌ２を設定するだけで、第一の三次元分岐点３４の垂直分岐部３４ｂの延出端部を水平分岐部３４ａに対して：ｈ１だけ上方に位置させることができる。同様に、第一副領域板２６の表面によって構成される第一副基準面４０に対して、第二副領域板２８の表面によって構成される第二副基準面４２が所定寸法：ｈ２だけ上方に位置するように、脚部３０ｂの長さ寸法：Ｌ３を設定するだけで、第二の三次元分岐点３６の垂直分岐部３６ｂを水平分岐部３６ａに対してｈ２だけ上方に位置させることができる。
【００２７】
このような構造とされたワイヤハーネス組立図板装置１０を作業台１８に載置して、ワイヤハーネスの組み立て作業が行われる。ワイヤハーネスの組み立て作業では、先ず、組立作業員が、組立図板１２上に載置された布線回路図に沿って、複数の布線治具１６間に複数の電線を掛け渡して電線束１４を形成する。本実施形態のワイヤハーネス組立図板装置１０においては、主領域板２４の主基準面３８よりも、第一副領域板２６の第一副基準面４０が所定寸法：ｈ１だけ高くされている。これにより、主領域板２４と第一副領域板２６にそれぞれ突設された布線治具１６間に架け渡される電線束１４を上方に偏向させて、第一の三次元分岐点３４の垂直分岐部３４ｂの延出端部を水平分岐部３４ａに対してｈ１だけ上方に位置するように、容易に布線することができる。また、第一副領域板２６の第一副基準面４０よりも、第二副領域板２８の第二副基準面４２が所定寸法：ｈ２だけ高くされている。これにより、第一副領域板２６と第二副領域板２８にそれぞれ突設された布線治具１６間に架け渡される電線束１４を上方に偏向させて、第二の三次元分岐点３６の垂直分岐部３６ｂの延出端部を水平分岐部３６ａに対してｈ２だけ上方に位置するように、容易に布線することができる。
【００２８】
このように所望の分岐形状に布線された電線束１４は、外周にビニールテープ４４が巻回されて結束固定される。さらに、電線束１４の端末にコネクタ等（図示せず）の電気部品が接続されたり、必要なクランプやプロテクタ等（図示せず）が各所に装着されることによって、所望の三次元分岐形状に分岐されたワイヤハーネス４６が得られる。
【００２９】
本実施形態のワイヤハーネス組立図板装置１０によれば、組立図板１２が、主領域板２４，第一副領域板２６および第二副領域板２８を順番に重ね合わせた構造とされており、それらの表面によって構成される主基準面３８，第一副基準面４０および第二副基準面４２の高さが相互に異ならされている。従って、支持脚部２０の長さ寸法：Ｌ１が同一とされた、汎用品の布線治具１６を採用しても、主基準面３８，第一副基準面４０および第二副基準面４２に突設された布線治具１６の電線保持部２２の底面の高さ位置を相互に異ならせることができ、それらの間に架け渡される電線束１４を上方に分岐させることができる。それ故、汎用の布線治具１６を用いて低コスト化を図りつつ、ワイヤハーネス４６を三次元的な分岐形状に組み立てることが可能となるのである。
【００３０】
しかも、第一副領域板２６は、脚部３０ａを介して主領域板２４に載置されており、第二副領域板２８は、脚部３０ｂを介して第一副領域板２６に載置されて間接的に主領域板２４に載置されている。従って、脚部３０ａ，３０ｂの長さ寸法：Ｌ２，Ｌ３を変更するのみで、ワイヤハーネス４６の三次元分岐形状のバリエーションに容易に対応することができ、支持脚部２０の長さが異なる複数種類の布線治具１６を要していた従来構造に比して、仕様変更に対しても一層安価に対応できるのである。
【００３１】
以上、本発明の実施形態について詳述したが、本発明はその具体的な記載によって限定されない。例えば、組立図板１２は、必ずしも主領域板２４，第一副領域板２６および第二副領域板２８を順番に重ね合わせた構造とされる必要はなく、例えば、図３に示すように、布線回路図の全てを載置し得る大きさを有する単一平板を用い、当該単一平板を、三次元分岐の不要な電線束１４が布線される主領域板２４と、主領域板２４よりも所定高さ：ｈ１分だけ上方への分岐が必要な電線束１４が布線される第一副領域板２６と、第一副領域板２６よりも所定高さ：ｈ２分だけ上方への分岐が必要な電線束１４が布線される第二副領域板２８と、に分断して構成してもよい。この場合、作業台１８の同一平面上に、主領域板２４を直接載置する一方、第一副領域板２６および第二副領域板２８を、それぞれ、脚部３０ａ，３０ｂを介して載置して、それらを整列配置することにより、組立図板１２が構成される。
【００３２】
このような構造の組立図板１２を用いれば、単一平板を分割することで、主領域板２４および第一副領域板２６および第二副領域板２８を構成することができることから、組立図板１２の材料やコストの削減を図ることができる。なお、脚部３０ａの長さ寸法：Ｌ２は、主基準面３８よりも第一副基準面４０が所定寸法：ｈ１だけ高くなるように、作業台１８からの突出高さとして設定される。同様に、脚部３０ｂの長さ寸法：Ｌ３は、第一副基準面４０よりも第二副基準面４２が所定寸法：ｈ２だけ高くなるように、作業台１８からの突出高さとして設定される。
【００３３】
また、上記実施形態では、第一副領域板２６および第二副領域板２８の相互に高さの異なる二つの副領域板を採用した例を示したが、副領域板は、１つでもよいし、３つ以上の副領域板が形成されてもよい。また、複数の副領域板が同一高さの副基準面を亭主るようにしてもよい。
【００３４】
さらに、第一副領域板２６および第二副領域板２８の底面に取り付けられる脚部３０ａ，３０ｂは、例示のものに限定されず、主基準面３８に対する第一副基準面４０や第二副基準面４２の高さ位置を変更し得るものであれば何れでもよい。例えば、各副基準面４０，４２の板厚寸法を大きくすることで、高さ位置を異ならせてもよい。
【符号の説明】
【００３５】
１０：ワイヤハーネス組立図板装置、１２：組立図板、１４：電線束（電線）、１６：布線治具、２０：支持脚部、２２：電線保持部、２４：主領域板、２６：第一副領域板、２８：第二副領域板、３８：主基準面、４０：第一副基準面、４２：第二副基準面
【図１】
2013143310.tif 000003
【図２】
2013143310.tif 000004
【図３】
2013143310.tif 000005